(57)【要約】      （修正有）【課題】飲料容器を保持するカップホルダーである容器保持体を、インストルメントパネル本体に設けられた空調用吹出し部に沿わせて位置させることができ、容器保持体を車両の前後方向に移動させて、容器保持体を運転席寄り、あるいは助手席寄りに位置させることができる利便性が向上された車載用容器保持具を提供する。【解決手段】車両のインストルメントパネル本体に設けられた空調用吹出し部に固定され、飲料容器を保持する車載用容器保持具であって、回動軸線を有する取付け部であって、回動軸線が空調用吹出し部の幅方向と平行になるように、空調用吹出し部に取付けられる取付け部と、一端部が回動軸線まわりに回動可能な状態で、取付け部に連結される腕部と、腕部の他端部に連設される、飲料容器を収容する容器保持体と、腕部を挟み込むように腕部と交差し、腕部の両側を押圧する押圧部を有し、一端部が前記取付け部に接続される押圧体と、を備える。【選択図】図１
2019034663.tif 000002
【特許請求の範囲】
【請求項１】
車両のインストルメントパネル本体に設けられた空調用吹出し部に固定され、飲料容器を保持する車載用容器保持具であって、
回動軸線を有する取付け部であって、前記回動軸線が前記空調用吹出し部の幅方向と平行になるように、前記空調用吹出し部に取付けられる取付け部と、
一端部が前記回動軸線まわりに回動可能な状態で、前記取付け部に連結される腕部と、
前記腕部の他端部に連設される、前記飲料容器を収容する容器保持体と、
一端部が前記取付け部に回動可能に接続され、前記腕部を押圧する押圧体であって、
前記腕部を挟み込むように前記腕部と交差し、前記腕部の両側を押圧する押圧部と、
前記押圧部を操作する操作レバーと、を有する押圧体と、を備える車載用容器保持具。
【発明の詳細な説明】
【技術分野】
【０００１】
本発明は、自動車のインストルメントパネルの空調用吹出し部に配設され、飲料容器を保持するための車載用容器保持具に関する。
【背景技術】
【０００２】
典型的な従来技術の車載用容器保持具は、たとえば特許文献１に、カップホルダーとして記載されている。このカップホルダーは、ペットボトルなどの飲料容器が収容される凹部を有しており、ヒンジを介してダッシュボードに開閉可能に配設されている。凹部の底面は、カップホルダーが開いた状態で、略水平面上に位置しており、容易に飲料容器を載置して保持することができる。
【先行技術文献】
【特許文献】
【０００３】
【特許文献１】特開平９−１０９７６３号公報
【発明の概要】
【発明が解決しようとする課題】
【０００４】
特許文献１に記載のカップホルダーでは、車両室内の温度よりも低い温度に冷やされた飲料容器内の飲料が車両室内で熱を吸収し、あるいは、車両室内の温度よりも高い温度に温められた飲料容器内の飲料が車両室内で熱を放出して、飲料容器の飲料が生温くなることがある。
【０００５】
他の従来技術では、カップホルダーに収容された飲料容器の飲料が車両室内で熱を吸収し、あるいは、カップホルダーに収容された飲料容器の飲料が車両室内で熱を放出して、飲料が生温くなることを軽減するために、インストルメントパネル本体に設けられた空調用吹出し部にカップホルダーを取り付けるものがある。
【０００６】
カップホルダーが取付けられる空調用吹出し部は、水平方向に開口したものだけでなく、水平方向に対して上方に傾いた方向に開口したものもあり、車両によって様々である。カップホルダーを、上方に傾いた方向に開口した空調用吹出し部に沿わせて取り付けた場合には、カップホルダーの開口部は、運転者あるいは助手席側とは逆方向である車両の前方に傾き、カップホルダーに飲料容器を収容しにくいという問題がある。
【０００７】
さらに、運転者等が、飲料容器の飲料を飲むときに、カップホルダーの開口部を運転席寄り、あるいは助手席寄りに傾けることができないので、飲料容器を取り出しにくく、利便性が悪いという問題がある。
【０００８】
本発明の目的は、飲料容器を保持するカップホルダーである容器保持体を、インストルメントパネル本体に設けられた空調用吹出し部に沿わせて位置させることができ、さらに容器保持体を車両の前後方向に移動させて、容器保持体を運転席寄り、あるいは助手席寄りに位置させることができる利便性が向上された車載用容器保持具を提供することである。
【課題を解決するための手段】
【０００９】
本発明は、車両のインストルメントパネル本体に設けられた空調用吹出し部に固定され、飲料容器を保持する車載用容器保持具であって、
回動軸線を有する取付け部であって、前記回動軸線が前記空調用吹出し部の幅方向と平行になるように、前記空調用吹出し部に取付けられる取付け部と、
一端部が前記回動軸線まわりに回動可能な状態で、前記取付け部に連結される腕部と、
前記腕部の他端部に連設される、前記飲料容器を収容する容器保持体と、
一端部が前記取付け部に回動可能に接続され、前記腕部を押圧する押圧体であって、
前記腕部を挟み込むように前記腕部と交差し、前記腕部の両側を押圧する押圧部と、
前記押圧部を操作する操作レバーと、を有する押圧体と、を備える車載用容器保持具である。
【発明の効果】
【００１０】
本発明によれば、車載用容器保持具は、インストルメントパネル本体の空調用吹出し部に配設することができる。運転者および助手席に座っている同乗者は、容器保持体が、空調用吹出し部に沿った位置で、腕部の両側を押圧部で押圧して、空調用吹出し部の開口する方向にかかわらず、容器保持体を、空調用吹出し部の開口に沿った位置に保持することができる。これによって、容器保持体に収容された飲料容器に、空調用吹出し部から吹き出す冷風あるいは温風を効果的に送ることができる。運転者および助手席に座っている同乗者は、飲料容器の飲料を飲むときに、容器保持体を車両の前後方向に移動させて、運転席寄り、あるいは助手席寄りに容器保持体を位置させることができる。
【００１１】
また本発明によれば、運転者および助手席に座っている同乗者は、操作レバーを操作して、押圧部を簡単に変位させることができる。
【図面の簡単な説明】
【００１２】
【図１】本発明の一実施形態の空調用吹出し部３に配設された車載用容器保持具１の断面図である。
【図２】車載用容器保持具１の平面図である。
【図３】挟持部１６の部品構成を示す斜視図である。
【図４】車載用容器保持具１の部品構成を示す分解斜視図である。
【図５】取付け部５の基部１５の斜視図である。
【図６】容器保持体９に飲料容器４が収容された状態を示す模式図である。
【図７】容器保持体９に飲料容器４が収容された状態を示す模式図である。
【図８】容器保持体９に飲料容器４が収容された状態を示す模式図である。
【図９】押圧体１１の斜視図である。
【図１０】縦枠１７に接続された押圧体１１を示す斜視図である。
【発明を実施するための形態】
【００１３】
図１は本発明の一実施形態の空調用吹出し部３に配設された車載用容器保持具１の断面図である。図２は車載用容器保持具１の平面図である。図３は取付け部５の挟持部１６の部品構成を示す斜視図である。図４は、車載用容器保持具１の部品構成を示す分解斜視図である。図５は取付け部５の基部１５の斜視図である。図６〜図８は、容器保持体９に飲料容器４が収容された状態を示す模式図である。図９は、押圧体１１の斜視図である。図１０は、押圧体１１が縦枠１７に接続された状態を示す斜視図である。
【００１４】
本実施形態の車載用容器保持具１は、車両のインストルメントパネル本体２に設けられた空調用吹出し部３に固定され、飲料容器４を保持するために用いられる。車載用容器保持具１は、水平な回動軸線Ｌを有し、回動軸線Ｌが空調用吹出し部３の幅方向と平行になるように、空調用吹出し部３に取付けられる取付け部５と、一端部が回動軸線Ｌまわりに回動可能に連結される一対の腕部８と、一対の腕部８の他端部に連設される、飲料容器４を収容する容器保持体９と、一端部が取付け部５に回動可能に接続され、一方の腕部８を挟み込み、腕部８と交差し、腕部８の両側を押圧する押圧体１１と、を備えている。なお、「運転席」とは、シートクッションおよびシートバックで構成される運転者用のシートをいい、「助手席」とは、シートクッションおよびシートバックで構成される同乗者用のシートをいう。
【００１５】
空調用吹出し部３は額縁状の固定枠１２を有しており、固定枠１２の内側には、固定枠１２と一体に成形された横フィン６が設けられている。横フィン６は、たとえば４つの横フィン６ａ，６ｂ，６ｃ，６ｄで構成されており、この順番で固定枠１２内に上から下に並んでいる。
【００１６】
取付け部５は、基部１５と、基部１５に配設される挟持部１６とを有している。基部１５は、断面がコの字状のアルミニウム合金からなる押出し形材を切断して形成される一対の縦枠１７と、一対の縦枠１７の上部を連結する連結板１３と、一対の縦枠１７の下部を連結する連結板１９とを有している。連結板１３と連結板１９とは、一対の縦枠１７に、ねじ止めされてもよく、あるいは接着剤を用いて接着されてもよい。
【００１７】
図３に示すように、挟持部１６は、たとえば弾性変形可能な樹脂を用いて断面がコの字状に形成されており、２つの対向する壁部２２と、壁部２２を接続する壁部２３とを有している。壁部２３の背面４４には、背面４４から突出する２本の雄ねじ部２４が設けられている。
【００１８】
挟持部１６は、たとえば、空調用吹出し部３の最上部に位置する横フィン６ａに固定される。挟持部１６は、横フィン６ａが、挟持部１６の凹部２０に嵌まり、横フィン６ａの開口側端部２６が壁部２３に当接し、一対の壁部２２で横フィン６ａを上下方向に挟持した状態で、結束バンド２１によって横フィン６ａに結束される。
【００１９】
挟持部１６は、横フィン６ａに結束された後、連結板１３の貫通孔４３に挿通された雄ねじ部２４に蝶ナット２５が螺合されて、連結板１３に固定される。さらに結束バンド２１を用いて、連結板１９が、横フィン６ｄに結束される。連結板１９は、連結板１９が横フィン６ｄの開口側端部２６に当接した状態で、横フィン６ｄに結束される。
【００２０】
結束バンド２１は樹脂製であり、人の手で折り曲げ可能である。結束バンド２１を予めＵ字状に折り曲げて、空調用吹出し部３に挿入することによって、挟持部１６を容易に横フィン６ａに結束することができ、連結板１９を容易に横フィン６ｄに結束することができる。
【００２１】
図２に示すように、挟持部１６は、挟持部１６の長手方向中央部が結束バンド２１で横フィン６ａに結束されており、結束バンド２１が挟持部１６と連結板１３との間に挟まれた状態で、連結板１３にねじ止めされるので、挟持部１６を結束する結束バンド２１が不用意に移動することを防止することができる。
【００２２】
このように、車載用容器保持具１を空調用吹出し部３の横フィン６ａおよび６ｄに簡単に装着することができる。車載用容器保持具１は、４つの横フィン６ａ，６ｂ，６ｃ，６ｄのうち、最も離れた位置にある、横フィン６ａと横フィン６ｄとに取り付けられており、車載用容器保持具１の揺れやばたつきの発生を抑えて、車載用容器保持具１を確実に空調用吹出し部３に固定することができる。なお、挟持部１６の材料は、弾性変形可能な樹脂に限定されるものではなく、アルミニウム合金などの金属であっても良い。
【００２３】
挟持部１６は、横フィン６を挟み込む構成のものに限定されない。図示しないが、たとえば、隣接する２つの横フィン６間の隙間に、圧縮された状態で嵌め込まれる嵌合部を有する構成とすることもできる。この場合には、嵌合部が、隣接する２つの横フィン６に結束バンド２１で結束される。また、挟持部１６や嵌合部を配設せず、基部１５を直接横フィン６に結束することもできる。
【００２４】
挟持部１６が挟持するフィンは、空調用吹出し部３の固定枠１２と一体成形された横フィン６に限定されるものではない。空調用吹出し部３が固定枠１２と一体成形された縦方向のフィンを備えている場合には、挟持部１６が縦方向のフィンを挟持する構成であっても良い。
【００２５】
基部１５を構成する一対の縦枠１７の下部には、空調用吹出し部３の幅方向と平行な回動軸線Ｌ上に、貫通孔２７が形成されている。この貫通孔２７にピン２８が挿通されて、後述の一対の腕部８が回動可能に連結される。
【００２６】
腕部８は、金属または樹脂などを用いて形成することができる。腕部８は、たとえば図４に示すように、断面がコの字状のアルミニウム合金からなる押出し形材を所望の長さに切断して形成することができる。腕部８の一端部には、貫通孔２９が形成されており、腕部８は、縦枠１７の対向する２つの壁部３１の間に嵌め込まれた状態で、ピン２８が貫通孔２７および貫通孔２９に挿通されて、取付け部５の回動軸線Ｌまわりに回動可能に連結されている。一対の腕部８の他端部には、飲料容器４を収容する容器保持体９が配設されている。
【００２７】
容器保持体９は、一対の腕部８の他端部に、腕部８と一体成形されてもよく、あるいは、腕部８とは別構造として、腕部８の他端部に取り付けることもできる。ここで、容器保持体９を腕部８とは別製作とした場合の一例について説明する。容器保持体９は、略円板状の底壁３４と、底壁３４の周縁部から底壁３４の上方に立ち上がる逆円錐台状の外周壁３５と、外周壁３５の上部周縁に設けられるリング状の上部開口部３７と、上部開口部３７を腕部８に固定する連結部材３８とを有している。底壁３４、外周壁３５および上部開口部３７は、たとえば樹脂を用いて一体成形することができ、連結部材３８は、たとえばアルミニウム合金からなる押出し形材を用いて製作することができる。容器保持体９の高さＨは、たとえば１００ｍｍとすることができ、上部開口部３７の内径Ｄ１は、たとえば７２ｍｍとすることができ、底面３６の直径Ｄ２は、たとえば６０ｍｍとすることができる。
【００２８】
外周壁３５を構成する樹脂は、板厚がたとえば１ｍｍ以下であり、弾性変形可能である。外周壁３５には、車載用容器保持具１が空調用吹出し部３に取り付けられた状態で、空調用吹出し部３に対向する開口部４１が形成されている。開口部４１は、たとえば底壁３４の底面３６から１０ｍｍ立ち上がった位置Ａ１から上部開口部３７の下端の位置Ａ２までの高さ範囲Ｈ１に設けられる。高さ範囲Ｈ１は、たとえば８０ｍｍである。位置Ａ１における開口幅Ｗ１は、たとえば５０ｍｍであり、位置Ａ２における開口幅Ｗ２は、たとえば６５ｍｍである。
【００２９】
開口部４１が設けられているので、空調用吹出し部３から吹出す空気を、開口部４１から容器保持体９の内側に取り込んで、容器保持体９に収容された飲料容器４に送ることができる。飲料容器４に、飲料容器４の飲料より低い温度の空気を送って飲料容器４の飲料を冷やし、あるいは、飲料容器４に、飲料容器４の飲料よりも高い温度の空気を送って飲料容器４の飲料を温めることができる。
【００３０】
開口部４１の両側に、空調用吹出し部３に向かって延びる一対の誘導板４０を設けることができる。誘導板４０として、たとえば樹脂製の平板を用いることができる。誘導板４０の一端部は、外周壁３５に接着され、あるいは外周壁３５にねじ止めされて、開口部４１の側部に固定される。誘導板４０を設けることによって、空調用吹出し部３から吹き出した空気を、効果的に飲料容器４に導くことができる。
【００３１】
一対の誘導板４０は、平行であってもよく、あるいは開口部４１から空調用吹出し部３に向かって、一対の誘導板４０間の距離が大きくなるように配設して、空調用吹出し部３から吹出す広い範囲の空気を飲料容器４に送るようにしても良い。
【００３２】
誘導板４０が蝶ナットを用いて外周壁３５にねじ止めされている場合には、簡単に蝶ナット５４を外して、他のねじ止め部５５を中心に、誘導板４０を回動させることができる。誘導板４０を、取付け部５から遠ざけた位置に移動して、取付け部５の周辺に広い作業空間を確保した状態で、取付け部５を横フィン６に固定する作業を行なうことができる。
【００３３】
連結部材３８は、たとえば金属または樹脂を用いて形成することができる。連結部材３８は、上部開口部３７に取付けられる平板状のベース板４６と、腕部８の他端部をベース板４６に固定するための、断面がコの字状の部材４７とを含んでいる。たとえば、腕部８の他端部が、リベット４９によって部材４７に固定され、ベース板４６がリベット５０によって上部開口部３７に固定される。
【００３４】
図６に示すように、容器保持体９に収容される飲料容器４ａが、缶コーヒーの容器などであれば、飲料容器４ａの底部４２が、容器保持体９の底面３６に当接し、飲料容器４ａの底部４２周縁が、容器保持体９の底面３６の周縁部４５に当接した状態で保持される。
【００３５】
図７に示すように、容器保持体９に収容される飲料容器４ｂが、絞り加工されたアルミ缶の容器などで、飲料容器４ｂの外径が、容器保持体９の底面３６の内径よりも大きい場合には、飲料容器４の底部４２周縁部が、逆円錐台状の外周壁３５を押圧して、外周壁３５が外側に凸となるように弾性変形する。飲料容器４の底部４２周縁部は、外周壁３５の弾性力によって、飲料容器４の底部４２と、容器保持体９の底面３６との間に隙間を有した状態で保持される。
【００３６】
図８に示すように、容器保持体９に収容される飲料容器４ｃがペットボトルなどで、飲料容器４ｂよりもさらに外径が大きい飲料容器４ｃである場合には、飲料容器４の底部４２周縁部が、逆円錐台状の外周壁３５を押圧するとともに、一部の底部４２周縁部が開口部４１から空調用吹出し部３側に突出する。飲料容器４ｃは、底部４２周縁部が空調用吹出し部３側に突出し、飲料容器４ｃの上部開口部が運転席または助手席寄りに傾いた状態で、外周壁３５の弾性力によって、飲料容器４の底部４２と、容器保持体９の底面３６との間に隙間を有した状態で保持される。
【００３７】
このように、容器保持体９は、底面３６の内径よりも大きい外径の飲料容器４ｂ，４ｃを収容することができる。また、容器保持体９の上部開口部３７によって、容器保持体９の高さＨ方向と垂直な径方向への飲料容器４の移動が規制されており、これによって飲料容器４が容器保持体９から抜け出ることを抑制することができる。
【００３８】
容器保持体９は、底壁３４が円形であり、外周壁３５が逆円錐台であるが、これに限定されるものではなく、容器保持体９の形状は、飲料容器の形状に合わせて変更することができる。
【００３９】
図９および図１０に示すように、押圧体１１は、たとえば断面がコの字状のアルミニウム合金からなる押出し形材を加工して作製することができる。押圧体１１は、一端部側に、細長い平板状に形成され、縦枠１７の対向する壁部３１の外側に貫通孔５３を介して回動可能に支持される一対の案内部１０を有しており、他端部側には、他端部側に向かって幅が狭くなるように形成され、腕部８の対向する壁部５１を挟み込んで押圧する一対の押圧部１４を有している。
【００４０】
一対の案内部１０の内面間の隙間Ｗ５は、腕部８の幅Ｗ４よりも広く形成されており、腕部８は、一対の案内部１０間を回動可能である。押圧部１４間の他端部側の幅Ｗ６は腕部８の幅Ｗ４よりも狭くなるように形成されており、腕部８は、腕部８の対向する壁部５１が押圧部１４に押圧されて保持される。
【００４１】
運転者および助手席に座っている同乗者は、容器保持体９を把持し、空調用吹出し部３に沿った位置に容器保持体９を移動させた後、押圧体１１を回動させて、腕部８を押圧部１４で押圧する。腕部８の対向する壁部５１が押圧部１４の押圧力によって、回動が阻止された状態で固定される。容器保持体９を空調用吹出し部３に沿った位置に保持して、容器保持体９に収容された飲料容器４に、空調用吹出し部３からの冷風あるいは温風を効果的に送ることができる。運転者および助手席に座っている者が、飲料容器４の飲料を飲むときには、容器保持体９を把持して、運転席側あるいは助手席側の任意の位置に容器保持体９を移動させた後、押圧体１１を回動させて、腕部８を押圧部１４で押圧することによって、容器保持体９を運転席側あるいは助手席側の任意の位置に固定することができる。
【００４２】
押圧部１４が腕部８を押圧することによって、腕部８を所望の角度位置で保持し、容器保持体９を、所望の角度位置とすることができる。これによって、多様な空調用吹出し部３の吹き出し方向に沿った位置に容器保持体９を保持することができる。
【００４３】
運転席に座っている運転者あるいは助手席に座っている同乗者が、飲料容器４の飲料を飲むときに、容器保持体９を任意の角度位置で保持することができる。
【００４４】
押圧体１１は、他端部に、押圧体１１を回動するための操作レバー６１を有している。図２に示すように、操作レバー６１は、取付け座６３を介して、押圧体１１の幅方向内側に取付けられているので、操作レバー６１を押圧体１１に容易に取り付けることができる。また、運転者が操作レバー６１を操作するときに、操作レバー６１が誘導板４０に接触することを防止することができ、操作レバー６１を正確に確実に操作することができる。
【００４５】
運転者が、操作レバー６１の把持部６２を把持して、操作レバ−６１を上方に押し上げると、腕部８が押圧体１１に当接し、腕部８は押圧体１１とともに空調用吹出し部３に近付くように回動する。容器保持体９が、空調用吹出し部３に近付くように回動するので、容器保持体９に保持された飲料容器４を、空調用吹出し部３に沿った位置とすることができる。この状態で、操作レバ−６１を押し上げて、腕部８の対向する壁部５１を押圧部１４で押圧して、腕部８を固定することができる。運転者は、操作レバー６１を操作して、押圧体１１を回動させ、腕部８の任意の回動位置で、腕部８を固定することができ、容器保持体９に収容された飲料容器４を任意の位置で固定することができる。
【００４６】
このように、車載用容器保持具１は、車両のインストルメントパネル本体２に設けられた空調用吹出し部３に固定され、飲料容器４を保持する車載用容器保持具１であって、回動軸線Ｌを有する取付け部５であって、回動軸線Ｌが空調用吹出し部３の幅方向と平行になるように、空調用吹出し部３に取付けられる取付け部５と、一端部が回動軸線Ｌまわりに回動可能な状態で、取付け部５に連結される腕部８と、腕部８の他端部に連設される、飲料容器４を収容する容器保持体９と、一端部が取付け部５に回動可能に接続され、腕部８を押圧する押圧体１１であって、腕部８を挟み込むように腕部８と交差し、腕部８の両側を押圧する押圧部１４と、押圧部１４を操作する操作レバー６１と、を有する押圧体１１と、を備える車載用容器保持具１である。
【００４７】
これによって、車載用容器保持具１は、インストルメントパネル本体２の空調用吹出し部３に配設することができる。運転者および助手席に座っている者は、容器保持体９が、空調用吹出し部３に沿った位置で、腕部８の両側を押圧部１４で押圧して、容器保持体９を、空調用吹出し部３に沿った位置に保持することができる。これによって、容器保持体９に収容された飲料容器４に、空調用吹出し部３から吹き出す冷風あるいは温風を送ることができる。運転者および助手席に座っている者は、飲料容器４の飲料を飲むときに、容器保持体９を車両の前後方向に移動して、運転席寄り、あるいは助手席寄りに位置させることもできる。
【符号の説明】
【００４８】
１  車載用容器保持具
２  インストルメントパネル本体
３  空調用吹出し部
４  飲料容器
５  取付け部
６  横フィン
８  腕部
９  容器保持体
１０  案内部
１１  押圧体
１２  固定枠
１３，１９  連結板
１４  押圧部
１５  基部
１６  挟持部
１７  縦枠
２０  凹部
２１  結束バンド
２２，２３，３１，５１  壁部
２４  雄ねじ部
２５，５４  蝶ナット
２６  開口側端部
２７，２９，５２，５３  貫通孔
２８，３０  ピン
３４，３９  底壁
３５  外周壁
３６  底面
３７  上部開口部
３８  連結部材
４０  誘導板
４１  開口部
４２  底部
４４  背面
４５  周縁部
４６  ベース板
４７  部材
４９，５０  リベット
５５  ねじ止め部
６１  操作レバー
６２  把持部
６３  取付け座
Ｌ  回動軸線
【図１】
2019034663.tif 000003
【図２】
2019034663.tif 000004
【図３】
2019034663.tif 000005
【図４】
2019034663.tif 000006
【図５】
2019034663.tif 000007
【図６】
2019034663.tif 000008
【図７】
2019034663.tif 000009
【図８】
2019034663.tif 000010
【図９】
2019034663.tif 000011
【図１０】
2019034663.tif 000012